(57)【要約】【課題】ノズルの吐出し口に詰まった異物の除去作業を容易化し、良好な水流の吐出しを維持可能にすること。【解決手段】水流の吐き出し部分に設けられる洗浄用ノズルにおいて、出水口の円周が、外ノズル１と外ノズル１に内包される内ノズル２から分割され、外ノズル１と内ノズル２をセット状態で、先端側に所定の細口径の出水口１ａを形成するように構成し、出水口１ａに用水に含まれるごみや異物が付着した場合、出水口１ａを拡大してそのごみなどを除去する。【選択図】　　　図１
2004113991.tif 000002
【特許請求の範囲】
【請求項１】
水流の吐き出し部分に設けられる洗浄用ノズルにおいて、
出水口の円周が、第１の部材と前記第１の部材に内包される第２の部材から分割され、
前記第１の部材と第２の部材がセット状態で、先端側に所定の細口径の出水口を形成するように構成されていることを特徴とする洗浄用ノズル。
【請求項２】
前記第１の部材に対して前記第２の部材が、前記細口径を開放側に移動可能に構成されていることを特徴とする請求項１に記載の洗浄用ノズル。
【請求項３】
前記第１の部材と前記第２の部材との結合形状は、出水口が細径となる円錐形状とすることを特徴とする請求項１または２に記載の洗浄用ノズル。
【請求項４】
前記第２の部材または前記第１の部材と前記第２の部材との接触面が、弾性材料で構成されていることを特徴とする請求項１、２または３に記載の洗浄用ノズル。
【請求項５】
さらに、
前記第１の部材に内包する前記第２の部材を出水口側に付勢する付勢手段と、前記付勢手段で付勢されている前記第２の部材を開放側に移動させる移動手段と、
を備えたことを特徴とする請求項１〜４の何れか１つに記載の洗浄用ノズル。
【請求項６】
頭皮などを洗浄する場合に用いられ、タンクに貯水された洗浄用水または外部より導入された洗浄用水に所定の圧力および脈動を加えてシャワー状の吐出する頭皮洗浄器において、
前記請求項１〜５の何れか１つに記載の洗浄用ノズルを用いることを特徴とする頭皮洗浄器。
【発明の詳細な説明】
【０００１】
【発明の属する技術分野】
本発明は、頭皮・顔部洗浄、または口腔洗浄、シャワーなどに利用可能な洗浄用ノズルおよび頭皮洗浄器に関し、より詳細には、たとえば、貯水された洗浄用水または外部から供給された洗浄用水を加圧すると共に脈動を与え、フレキシブルチューブ（ホース）を経由してノズルからシャワー状に吐出し、頭皮などを洗浄する際に用いられる洗浄用ノズルおよび頭皮洗浄器に関する。
【０００２】
【従来の技術】
従来より、洗浄効率やマッサージ効果、およびその利便性、快適性などに優れた頭皮洗浄器が知られている。一般的に、このような頭皮洗浄器は、頭皮洗浄に使用する１回分の洗浄用水をタンクに貯水し、ポンプでタンク内に貯水されている洗浄用水を取り込んで加圧すると共に脈動を与えて脈動水流としてノズルヘッドへ送水し、ノズルヘッドから洗浄用水を吐出する構成がとられている。
【０００３】
ところで、このような頭皮洗浄器にあっては、ノズルヘッドからマッサージ効果を向上させるために、ノズルヘッドの各先端部分から吐出される洗浄用水はできるだけ細い水流であることが好ましい。このため、従来よりノズルヘッドの吐出し口先端は細い口径で形成されている。具体的には、頭皮洗浄用ノズルの出水口としてφ０．３ｍｍ程度の多数の穴を形成している（たとえば、特許文献１参照。）。また、従来の出水口例を図７に示す。図示するように、ノズルケース１３に設けられたノズル１２の先端には出水口１１が、単一でφ０．５〜０．９ｍｍ程度の径で形成されている。
【０００４】
ところが、ノズルヘッドの経時的に使用するにしたがって洗浄用水中に含まれる各種成分が固形化し、吐出し口に先端に付着したり、ごみなどが付着するなどして目詰まりを発生させる。この目詰まりが進行すると良好な水流が吐出されなくなる。そこで、従来はこのような目詰まりを発生させている付着物を取り除きやすいような工夫が幾つか提案されている。たとえば、ノズルヘッドの出水口に付着するカルキスケールを容易に除去する方法として、出水口をエラストマによる弾性突起で形成し、その突起部を他の回転板で弾性変形することにより行なっている（たとえば、特許文献２参照。）。
【０００５】
【特許文献１】
特開平７−２５５５２３号公報
【特許文献２】
特許第３２０６９１８号公報
【０００６】
【発明が解決しようとする課題】
しかしながら、特許文献２に示されるようなノズルヘッドにあっては、エラストマの弾性突起を他の回転板で変形させているが、給水される洗浄液に含まれるごみなどが詰まった場合には取り除くことができない。さらに、出水口が弾性体であるために高圧の出水圧を供給する場合には圧によって変形されて出口径が大きくなるため、良好な水流が得られなくなる。また、特許文献１または図７に示されるようなφ０．３ｍｍ程度の多数の穴を有するノズルの場合、給水される洗浄液に含まれるごみなどが詰まった場合、歯間ブラシなどでごみを押し込むなどして一時的な除去を行なっているが、完全に取り除くことは困難であった。
【０００７】
本発明は、上記に鑑みてなされたものであって、ノズルの吐出し口に詰まった異物の除去作業を容易化し、良好な水流の吐出しを維持可能にすることを目的とする。
【０００８】
【課題を解決するための手段】
上記の目的を達成するために、請求項１にかかる洗浄用ノズルにあっては、水流の吐き出し部分に設けられる洗浄用ノズルにおいて、出水口の円周が、第１の部材と前記第１の部材に内包される第２の部材から分割され、前記第１の部材と第２の部材がセット状態で、先端側に所定の細口径の出水口を形成するように構成されているものである。
【０００９】
この発明によれば、出水口の円周を少なくとも第１の部材（外側ノズル）と第１の部材の内側に収容する第２の部材（内側ノズル）の２つの部材で分割構成とすることにより、第１の部材から第２の部材を離間することにより、出水口部分の開口が可能になる。
【００１０】
また、請求項２にかかる洗浄用ノズルにあっては、前記第１の部材に対して前記第２の部材が、前記細口径を開放側に移動可能に構成されているものである。
【００１１】
この発明によれば、請求項１において、第１の部材（外側ノズル）と第１の部材の内側に収容する第２の部材（内側ノズル）を開放側に移動可能に構成することにより、出水口部分が拡大され、出水口先端に詰まったごみなどを流出することが可能になる。
【００１２】
また、請求項３にかかる洗浄用ノズルにあっては、前記第１の部材と前記第２の部材との結合形状は、出水口が細径となる円錐形状とするものである。
【００１３】
この発明によれば、請求項１または２において、第１の部材（外側ノズル）と第１の部材の内側に収容する第２の部材（内側ノズル）との接合形状を円錐形状にすることにより、両部材の接触面積の拡大と押圧時におけるくさび効果が期待可能になる。
【００１４】
また、請求項４にかかる洗浄用ノズルにあっては、前記第２の部材または前記第１の部材と前記第２の部材との接触面が、弾性材料で構成されているものである。
【００１５】
この発明によれば、請求項１、２または３において、第１の部材（外側ノズル）と第１の部材の内側に収容する第２の部材（内側ノズル）との接触面を弾性材料で構成することにより、高水圧時の吐出しにも対応することが可能になる。
【００１６】
また、請求項５にかかる洗浄用ノズルにあっては、さらに、前記第１の部材に内包する前記第２の部材を出水口側に付勢する付勢手段と、前記付勢手段で付勢されている前記第２の部材を開放側に移動させる移動手段と、を備えたものである。
【００１７】
この発明によれば、請求項１〜４の何れか１つにおいて、第１の部材（外側ノズル）に対し、第１の部材の内側に収容する第２の部材（内側ノズル）を圧縮コイルバネなどで非開口側に付勢すると共に、この付勢状態（セット状態）を解除する機構を設けることにより、解除機構（移動手段）の操作により出水口に詰まった異物を除去することが可能になる。
【００１８】
また、請求項４にかかる頭皮洗浄器にあっては、頭皮などを洗浄する場合に用いられ、タンクに貯水された洗浄用水または外部より導入された洗浄用水に所定の圧力および脈動を加えてシャワー状の吐出する頭皮洗浄器において、前記請求項１〜５の何れか１つに記載の洗浄用ノズルを用いるものである。
【００１９】
この発明によれば、請求項１〜５の何れか１つに記載の洗浄用ノズルを頭皮洗浄器に用いることにより、経時使用によってノズルの出水口に詰まったごみなどの異物を簡単に除去することが可能になる。
【００２０】
【発明の実施の形態】
以下、本発明にかかる洗浄用ノズルおよび頭皮洗浄器の好適な実施の形態について添付図面を参照し、詳細に説明する。なお、本発明はこの実施の形態に限定されるものではない。
【００２１】
本発明は、頭皮洗浄器などのノズルヘッド（ノズル）の出水口を、第１の部材（外側ノズル）とその第１の部材に内包する第２の部材（内側ノズル）とによる分割構成とし、出水口を所定の細口径の状態を形成し、さらに第２の部材を開口側に移動（離間）可能な構成とすることにより、出水口の目詰まりの原因となっているごみなどの異物を容易に除去可能にするものである。以下、これらの具体的な構成などについて説明する。
【００２２】
図１は、本発明の実施の形態にかかる洗浄用ノズルの出水口の構成を示す断面図である。また、図２は、図１における洗浄用ノズルの出水口を下部からみた状態を示す説明図である。これらの図において、符号１は出水口の外側を形成する外ノズル、符号２は外ノズル１内に収めれ、出水口の一部を形成し、さらに外ノズル１から離間可能に構成されている内ノズル、符号１ａは出水口、符号１ｂは外ノズル１と内ノズル２との出水口側の接触面、符号２ａは内ノズル２の先端、符号２ｂは外ノズル１と内ノズル２との接触面、符号２ｃは後述するレバー軸である。
【００２３】
また、符号３は内ノズル２を出水口１ａ側に付勢する圧縮コイルバネ、符号４は圧縮コイルバネ３によって付勢されている内ノズル２を図示の上側に移動させるためのレバー、符号４ａはレバー４の支点、符号４ｂはレバー４の作用点、符号５、６はノズルケース、符号７は外ノズル１と内ノズル２との密封性を強化するシール、符号８はレバー軸２ｃのシール、符号９は外ノズル１とノズルケース５との密封性を強化するシールである。
【００２４】
すなわち、出水口１ａは、外ノズル１と内ノズル２によってたとえばφ０．５〜０．９ｍｍ程度の穴径の形成され、図２に示すように、円周の約半分をそれぞれのパーツで構成されている。接触面１ｂ，２ｂは、円錐形状として接触面積を広くし、さらに押圧部材（付勢手段）である圧縮コイルバネ３で接触面の密着（シール）を行なっている。
【００２５】
また、内ノズル２は、ノズルケース５より外部に突き出したレバー軸２ｃを介し、レバー４の支点４ａ、作用点４ｂにより矢印４Ｃに操作することにより、図中の上方向に移動し内ノズルの先端２ａが外部からの操作で、簡単に開口する。つまり、出水口が（１ａ＋２ａ）に拡大する。これにより、出水口１ａに詰まったごみなどを流出あるいはブラシなどを用いるなどによって取り出すことができる。
【００２６】
また、各部のシールは、レバー軸２ｃのシール８、ノズルケース５と外ノズル１のシール９、内ノズル２と外ノズル１とのシールをそれぞれ密封性の強化が期待できるＯリングを用いて行なっている。
【００２７】
さらに、外のズル１と内ノズル２とのシール性を高めるために、いずれか一方の材質の全体または接触面１ｂ，２ｂをシール性の高いゴムまたはエラストマとする。これにより、高水圧の出水にも耐える構造が実現する。
【００２８】
図３は上述した洗浄用ノズルの出水口の配置例を示すものであり、多数の出水口の例である。図示するようにすべての出水口１ａを一度に開口するように構成する。また、図４は、図３とは配置構成が異なり、２穴ごとに出水口を一体化した例を示している。このような構成にすることにより、出水のバランスの変化、たとえば別々のポンプによる出水を行なう場合に有効である。
【００２９】
ところで、上述した洗浄用ノズルを頭皮洗浄器に用いるとゴミ除去などが簡単に行なうことができる。頭皮洗浄器は、一般的なシャワーに比較した場合、たとえば水圧が約６〜８倍あり、かつシャワーノズルから洗浄用水を１秒間に約３０回の断続的噴出を行なう、いわゆる脈動ジェット水流を吐き出し、これを頭皮などにあてて洗浄を行なうものである。この頭皮洗浄器の例を図５、図６に示す。図５は、本発明の実施の形態にかかる頭皮洗浄器１００の外観図を示すものである。また、図６は、図５における頭皮洗浄器１００内部の概略構成を示すブロック図である。
【００３０】
これらの図に示すように、この頭皮洗浄器１００は、洗浄用水を貯水するタンク１０１と、タンク１０１から洗浄用水を取り込んで加圧すると共に脈動を与えて脈動水流として送水するポンプ部１０２と、ポンプ部１０２から送出された洗浄用水を導水する配管１０３と、配管１０３で導水された洗浄用水を導水するフレキシブルチューブ１０４と、上述した洗浄用ノズルで構成され、フレキシブルチューブ１０４で導水された洗浄用水を吐出するノズルヘッド１０５と、ポンプ部１０２を駆動して洗浄用水の吐出制御を行なう吐出制御部１０６と、を備えている。なお、図６において、符号１０７はタンク１０１とポンプ部１０２との間の流路である配管を示し、符号１１０は装置全体へ電源を供給するバッテリである。
【００３１】
配管１０３は、図６に示すように、フレキシブルチューブ１０４との結合部１０３ａを有している。フレキシブルチューブ１０４は、配管１０３との結合部１０４ａを有している。また、ノズルヘッド１０５の取水口側に結合部１０５ａを設け、この結合部１０５ａにフレキシブルチューブ１０４の先端に設けられた結合部１０４ｂとを合わせることにより、ワンタッチで嵌合するように構成されている。このようなノズルヘッドの着脱可能な構成とすることにより、多種のノズルヘッドを使用する場合や、新品のノズルヘッドに交換するなど使用状況に適合したノズルヘッドを迅速に使用することができる。
【００３２】
つぎに、以上のように構成された頭皮洗浄器１００の動作について説明する。本発明の頭皮洗浄器１００を用いて洗浄を行なう場合、ユーザは、電源スイッチ（図示せず）を操作して電源を投入する。電源が投入されると、全体に電力が供給され、吐出制御部１０６は、バッテリ１１０からポンプ部１０２へ電源を供給し、ポンプ部１０２を駆動する。ポンプ部１０２は、タンク１０１から給水された洗浄用水を所定の圧力で加圧すると共に脈動を加え、フレキシブルチューブ１０４を経由してノズルヘッド１０５へ洗浄用水を送水する。ノズルヘッド１０５からは、洗浄用水がシャワー状に吐出され、ユーザはこのシャワーを使って頭皮を洗浄する。
【００３３】
したがって、前述した構成の洗浄用ノズルを頭皮洗浄器１００のノズルヘッド１０５として使用することにより、出水口に詰まったごみや固形物といった異物を簡単に除去することができるため、頭皮洗浄器１００が有する本来の脈動ジェット水流の吐出しを簡単な操作で常に確保することができる。
【００３４】
【発明の効果】
以上説明したように、本発明にかかる洗浄用ノズル（請求項１）によれば、出水口の円周を少なくとも第１の部材（外側ノズル）と第１の部材の内側に収容する第２の部材（内側ノズル）の２つの部材で分割構成させ、第１の部材から第２の部材を離間することにより、出水口部分が容易に開口可能になるため、出水口に詰まった異物の除去が簡単に行なえ、その結果、本来の水流を常に維持することができる。
【００３５】
また、本発明にかかる洗浄用ノズル（請求項２）によれば、請求項１において、第１の部材（外側ノズル）と第１の部材の内側に収容する第２の部材（内側ノズル）を開口側（出水口を広げる側）に移動可能に構成にしたので、出水口部分を簡単に拡大することができ、出水口先端に詰まったごみなどを容易に流出することができる。
【００３６】
また、本発明にかかる洗浄用ノズル（請求項３）によれば、請求項１または２において、第１の部材（外側ノズル）と第１の部材の内側に収容する第２の部材（内側ノズル）との接合形状を円錐形状としたので、第１の部材と第２の部材のと接触面積の拡大と押圧時におけるくさび効果が期待でき、その部分のシール性が向上する。
【００３７】
また、本発明にかかる洗浄用ノズル（請求項４）によれば、請求項１、２または３において、第１の部材（外側ノズル）と第１の部材の内側に収容する第２の部材（内側ノズル）との接触面を弾性材料で構成することにより、高水圧時の吐出しにも対応することが可能になるため、高水圧時においてもそのシール性が向上する。
【００３８】
また、本発明にかかる洗浄用ノズル（請求項５）によれば、請求項１〜４の何れか１つにおいて、第１の部材（外側ノズル）に対し、第１の部材の内側に収容する第２の部材（内側ノズル）を圧縮コイルバネなどで非開口側に付勢すると共に、この付勢状態（セット状態）を解除する機構を設けることにより、解除機構（移動手段）をユーザが操作することで出水口に詰まった異物を除去することができる。
【００３９】
また、本発明にかかる頭皮洗浄器（請求項６）によれば、請求項１〜５の何れか１つに記載の洗浄用ノズルを頭皮洗浄器に用いることにより、経時使用によってノズルの出水口に詰まったなどの異物をユーザが簡単な操作によって除去することができる。
【図面の簡単な説明】
【図１】本発明の実施の形態にかかる洗浄用ノズルの出水口の構成を断面で示す説明である。
【図２】図１における洗浄用ノズルの出水口の構成を下部からみた状態を示す説明図である。
【図３】本発明の実施の形態にかかる他の洗浄用ノズルの出水口の配置例（その１）を示す説明図である。
【図４】本発明の実施の形態にかかる他の洗浄用ノズルの出水口の配置例（その２）を示す説明図である。
【図５】本発明の実施の形態にかかる頭皮洗浄器の外観図を示すものである。
【図６】図５における頭皮洗浄器内部の概略構成を示すブロック図である。
【図７】従来における洗浄用ノズルの出水口の構成を示す説明図である。
【符号の説明】
１　外ノズル
１ａ　出水口
１ｂ　接触面
２　内ノズル
２ａ　内ノズルの先端
２ｂ　接触面
２ｃ　レバー軸
３　圧縮コイルバネ
４　レバ−
５　ノズルケース
７，８，９　シール
１００　頭皮洗浄器
１０５　ノズルヘッド
【図１】
2004113991.tif 000003
【図２】
2004113991.tif 000004
【図３】
2004113991.tif 000005
【図４】
2004113991.tif 000006
【図５】
2004113991.tif 000007
【図６】
2004113991.tif 000008
【図７】
2004113991.tif 000009